(57)【要約】  【課題】  貯蔵室の前面に設けられる扉体の前面パネルにこの前面パネルに付された色彩と異なる色彩を有するシートを貼ることにより、季節に応じてや、模様替え感覚で、楽しむことができる冷蔵庫を提供すること。  【解決手段】  冷凍室扉８や冷蔵室扉９の前面パネル８Ａ、９Ａに、この前面パネル８Ａ、９Ａに付された色彩とは異なる色彩が印刷されたシート３０を貼ることにより、或いは貼り替える。この場合、前記シート３０はその裏面に面状に弱粘性の接着剤３１が付されたものか、シート状のマグネット付きのものを使用する。  【選択図】  図３
2005180790.tif 000002
【特許請求の範囲】
【請求項１】
貯蔵室の前面に開閉可能又は引出可能な扉体を備えた冷蔵庫において、前記扉体の前面パネルに弱粘性の接着剤付きのシートを貼り付けたことを特徴とする冷蔵庫。
【請求項２】
貯蔵室の前面に開閉可能又は引出可能な扉体を備えた冷蔵庫において、前記扉体の鋼板製の前面パネルにマグネット付きのシートを貼り付けたことを特徴とする冷蔵庫。
【請求項３】
前記シートは、前記扉体の前面パネルに付された色彩と異なる色彩が付されたものであることを特徴とする請求項１又は２に記載の冷蔵庫。
【発明の詳細な説明】
【技術分野】
【０００１】
本発明は、貯蔵室の前面に開閉可能又は引出可能な扉体を備えた冷蔵庫に関する。
【背景技術】
【０００２】
この種冷蔵庫の扉体は、発泡ウレタンを現場発泡方式により充填する工程を伴うために（特許文献１参照）、特定の色、例えば１色が塗装されているものである。
【特許文献１】特開平８−１４５５４６号公報
【発明の開示】
【発明が解決しようとする課題】
【０００３】
しかし、ユーザーの好みにより特定の色彩が付された冷蔵庫を購入すると、他の色を楽しむことができない。
【０００４】
そこで本発明は、貯蔵室の前面に設けられる扉体の前面パネルにこの前面パネルに付された色彩と異なる色彩を有するシートを貼ることにより、季節に応じてや、模様替え感覚で、楽しむことができる冷蔵庫を提供することを目的とする。
【課題を解決するための手段】
【０００５】
上記課題を解決するため、第１の発明は、貯蔵室の前面に開閉可能又は引出可能な扉体を備えた冷蔵庫において、前記扉体の前面パネルに弱粘性の接着剤付きのシートを貼り付けたことを特徴とする。
【０００６】
また第２の発明は、貯蔵室の前面に開閉可能又は引出可能な扉体を備えた冷蔵庫において、前記扉体の鋼板製の前面パネルにマグネット付きのシートを貼り付けたことを特徴とする。
【０００７】
更に第３の発明は、第１又は第２の発明において、前記シートが前記扉体の前面パネルに付された色彩と異なる色彩が付されたものであることを特徴とする。
【発明の効果】
【０００８】
本発明によれば、季節に応じてや、模様替え感覚で、色彩の異なるシートを扉体の前面パネルに貼ることにより、或いは貼り替えることにより、楽しむことができる。
【発明を実施するための最良の形態】
【０００９】
以下、本発明の実施の形態を図に基づき説明する。先ず、冷凍冷蔵庫の正面図である図１、図１の縦断面図である図２において、１はそれぞれ前面扉が設けられた複数の食品保存室から成る冷凍冷蔵庫本体で、鋼板製の外箱２、合成樹脂製の内箱３及び両箱間に現場発泡方式により充填された発泡ウレタン断熱材４により構成されている。この冷凍冷蔵庫本体１の内部は断熱作用のある仕切壁５により仕切られ、上部に冷凍室６を配置し、冷凍室６の下に冷蔵室７を配置している。
【００１０】
そして、前記冷凍室６前面開口は開閉可能な回動式の冷凍室扉８により閉塞可能であり、前記冷蔵室７の前面開口は開閉可能な回動式の冷蔵室扉９により閉塞可能である。前記冷凍室扉８は平板状（特に左右端部が緩やかな曲面形状でない）の鋼板製の前面パネル（扉外板）８Ａと、ガスケット８Ｆを備えた合成樹脂製の扉内板８Ｂと、両側壁（図示せず）と、上下の扉キャップ８Ｃと、左右の扉キャップ８Ｄと、これらの前面パネル８Ａ、扉内板８Ｂと、両側壁、扉キャップ８Ｃ及び扉キャップ８Ｄを組み合わせてできる空間内に現場発泡方式により充填された発泡ウレタン断熱材８Ｅとから構成される。また、前記冷蔵室扉９も冷凍室扉８と同様に、平板状（緩やかな曲面形状でない）の鋼板製の前面パネル（扉外板）９Ａと、ガスケット９Ｆを備えた合成樹脂製の扉内板９Ｂと、両側壁（図示せず）と、上下の扉キャップ９Ｃと、左右の扉キャップ９Ｄと、これらの前面パネル９Ａ、扉内板９Ｂと、両側壁、扉キャップ９Ｃ及び扉キャップ９Ｄを組み合わせてできる空間内に現場発泡方式により充填された発泡ウレタン断熱材９Ｅとから構成される。
【００１１】
また、前記冷凍室６には複数の棚１０が間隔を存して配設可能であり、下部に、即ち仕切壁５の上面上に製氷皿１２及びこの製氷皿１２で作られた氷を収納する収納箱１１が配置されている。
【００１２】
冷蔵室７を形成する内箱３の両側壁には内方に所定間隔を存して支持部１６が突設され、この支持部１６上に複数の棚１７が出し入れ可能に配設される。また、冷凍冷蔵庫本体１の後下部には、機械室１８が形成されて冷凍サイクルユニットを構成する圧縮機１９が配設されるが、この機械室１８の前方における冷蔵室７下部には上面が開口せる合成樹脂材料で作成された野菜収納容器２０が、冷蔵室７を形成する底面７Ａを摺動して出し入れ可能に配設される。
【００１３】
また、冷凍室６の後部には、ダクト壁２１にて区画された冷気循環ダクト２２が設けられ、この冷気循環ダクト２２には送風機２３と冷凍サイクルユニットを構成する冷却器２４とが上下に設けられている。そして、前記ダクト壁２１に開設した吸込口２５から流入した冷凍室６内の空気は冷却器２４にて冷却され、送風機２３により吹出口２６を介して冷凍室６内に循環供給される。また、冷凍室６内の冷気は仕切壁５に設けられた冷気循環ダクト２７を介して冷蔵室７内にも分配供給され、冷却に供する。
【００１４】
このように構成された冷凍冷蔵庫の冷凍室扉８や冷蔵室扉９の前面パネル８Ａ、９Ａは、通常は例えば白色などの１色の塗装が施されている。従って、この冷凍冷蔵庫の購入の際に、使用者は好みの色彩を選ぶが、ときに季節に応じてや、模様替え感覚で、異なる色彩のものが欲しくなる。
【００１５】
そこで、異なる色彩の冷凍冷蔵庫を新たに購入することなく、図３に示すように、冷凍室扉８や冷蔵室扉９の前面パネル８Ａ、９Ａに、例えばこの前面パネル８Ａ、９Ａに付された色彩とは異なる色彩が印刷されたシート３０を貼ることにより、或いは貼り替えることにより、冷凍冷蔵庫の購入者は楽しむことができる。また、製造メーカーにとっては、外観色による在庫が減少する。この場合、前記シート３０は、前記前面パネル８Ａ、９Ａと限りなく同じ大きさのものを使用するが、例えば前記上下の扉キャップ８Ｃ、９Ｃと、左右の扉キャップ８Ｄ、９Ｄとを避けた大きさのものを使用する。これにより、凹凸がある部分を避けた大きさのものを使用することによって、使用中に容易に剥がれることがなく、見栄えも良好である。
【００１６】
この場合、前記シート３０はその裏面に面状に弱粘性の接着剤３１が付されたものを使用する。この弱粘性の接着剤３１付きのものであれば、貼り替えが可能となるからである。また、シート状のマグネット付き（面状にマグネットが付されている）のシートでも同様な効果が得られる。
【００１７】
なお、冷凍室扉８や冷蔵室扉９の前面パネル８Ａ、９Ａに貼られるシート３０は、色彩に限らず、模様又は模様と色彩の組み合わせによるものが施されたものであってもよく、更には前面パネル８Ａ、９Ａに限らず、他の冷凍冷蔵庫の両側面や背面にシート３０を貼り付けてもよく、前面パネル８Ａと９Ａとに異なる色彩のシートを貼り付けてもよい。。また、本実施形態では、開閉可能な冷凍室扉８や冷蔵室扉９を例として説明したが、これに限らず、引出可能な扉体にも適用できる。
【００１８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００１９】
【図１】冷凍冷蔵庫の正面図である。
【図２】図１に示した冷凍冷蔵庫の縦断側面図である。
【図３】冷凍室扉の局部の断面図である。
【符号の説明】
【００２０】
１              冷凍冷蔵庫本体
３              内箱
６              冷凍室
７              冷蔵室
８              冷凍室扉
９              冷蔵室扉
８Ａ、９Ａ      前面パネル
３０            シート
３１            接着剤
【図１】
2005180790.tif 000003
【図２】
2005180790.tif 000004
【図３】
2005180790.tif 000005